(57)【特許請求の範囲】
【請求項１】
中心を貫通する流路を有する筒部と該筒部の先端から弱化部を介して一体形成された折取部とを備え、該折取部により前記流路の先端を閉塞可能なスパウト本体と、該スパウト本体の筒部の先端側の外周を覆うカバーとを備えた折り取りスパウトであって、
前記カバーが、前記スパウト本体の先端側から被せられて前記折取部を含んで覆うように別体に形成され、向かい合う一対の長辺部および向かい合う一対の短辺部で周縁を形成したカバー天面と、前記カバー天面の周縁部から垂下するスカート壁とを有し、
前記カバーが、前記スパウト本体の先端側を覆って固定された状態で、前記折取部と接触しない形状に形成され、
長辺部側の前記スカート壁および前記筒部には、前記カバーと前記スパウト本体とを抜け止め係合し、前記カバーを前記流路を中心として回転させた際に、前記カバーと前記スパウト本体との係合を解除可能に構成された抜け止め部を有し、
前記抜け止め部は、長辺部側の前記スカート壁に設けられた係合窓と、前記筒部に設けられた係合突起とで構成され、
前記係合窓は、前記係合突起よりも周方向に長く設けられるとともに、前記係合窓の周方向の少なくとも一端は、前記カバーを前記流路を中心として回転させた際に、前記係合突起の描く円よりも外方に達していることを特徴とする折り取りスパウト。
【請求項２】
前記スパウト本体の前記折取部が、前記流路に直交する方向に延びる一対の操作腕を有し、
前記係合突起は、前記筒部の中心線を通り、前記操作腕と直交する方向に膨出形成されていることを特徴とする請求項１に記載の折り取りスパウト。
【請求項３】
前記筒部の外周面のうち、前記抜け止め部と周方向で異なる位置には半径方向外方に膨出形成された凸部が設けられ、
前記凸部の上面は、周方向に傾斜した傾斜面を有していることを特徴とする請求項１または請求項２に記載の折り取りスパウト。
【請求項４】
長辺部側の前記スカート壁の下部には、前記凸部の傾斜面と当接可能に構成された切欠き部が設けられ、
前記切欠き部は、下方に開放されていることを特徴とする請求項３に記載の折り取りスパウト。
【請求項５】
前記スパウト本体の前記折取部が、前記流路に直交する方向に延びる一対の操作腕を有し、
前記操作腕が、前記流路を中心とする円周方向に延びる係合孔を有し、
前記カバーの内周部には、前記カバーを前記流路を中心として回転させた際に前記係合孔に挿入される挿入腕が設けられていることを特徴とする請求項１乃至請求項４のいずれかに記載の折り取りスパウト。
【発明の詳細な説明】
【技術分野】
【０００１】
本発明は、流路の先端が一体形成された折取部により閉じられた折り取りスパウトに関し、特にスパウト本体の外周を覆うカバーによりスパウト本体および折取部を保護した折り取りスパウトに関する。
【背景技術】
【０００２】
従来、中心を貫通する流路を有する筒部を備え、該筒部の先端に一体形成された折取部により流路の先端が閉じられたスパウト本体を有する折り取りスパウトは周知である。
また、衛生面からスパウト本体に直接手を触れることを避けるため、スパウト本体の筒部の先端側の外周を覆うカバーを設け、かつ、カバーの取外し動作と折取部の切り離し動作を同時に行うようにして使用者の利便性を向上した折り取りスパウトも公知である（例えば、特許文献１、２等参照。）。
【先行技術文献】
【特許文献】
【０００３】
【特許文献１】特開２００６−６２７５２号公報
【特許文献２】特開２００９−４６１８４号公報
【発明の概要】
【発明が解決しようとする課題】
【０００４】
ところが、上記特許文献等で公知の折り取りスパウトは、未だ改善の余地があった。すなわち、カバーが折取部に嵌め込まれて固定される構造となっているため、カバーを嵌め込む際に折取部に力がかかり、弱化部が損傷して密封性が損なわれるおそれがあった。
また、搬送時や保管時にカバーに意図しない外力が加わった際、カバーが誤作動して、その結果使用前にカバーがスパウトから離脱してしまうおそれがあった。
【０００５】
本発明は、これらの問題点を解決するものであり、簡単な構成で、使用時以外に折取部に不意に力がかかることがなく、弱化部の損傷等による密封性の低下がなく、容易にカバーとスパウト本体とを係合でき、使用時以外のカバーのスパウト本体からの離脱を防止できるとともに、その一方で使用時にはカバーをスパウト本体から容易に離脱可能な折り取りスパウトを提供することを目的とするものである。
【課題を解決するための手段】
【０００６】
本発明の折り取りスパウトは、中心を貫通する流路を有する筒部と該筒部の先端から弱化部を介して一体形成された折取部とを備え、該折取部により前記流路の先端を閉塞可能なスパウト本体と、該スパウト本体の筒部の先端側の外周を覆うカバーとを備えた折り取りスパウトであって、前記カバーが、前記スパウト本体の先端側から被せられて前記折取部を含んで覆うように別体に形成され、向かい合う一対の長辺部および向かい合う一対の短辺部で周縁を形成したカバー天面と、前記カバー天面の周縁部から垂下するスカート壁とを有し、前記カバーが、前記スパウト本体の先端側を覆って固定された状態で、前記折取部と接触しない形状に形成され、長辺部側の前記スカート壁および前記筒部には、前記カバーと前記スパウト本体とを抜け止め係合し、前記カバーを前記流路を中心として回転させた際に、前記カバーと前記スパウト本体との係合を解除可能に構成された抜け止め部を有し、前記抜け止め部は、長辺部側の前記スカート壁に設けられた係合窓と、前記筒部に設けられた係合突起とで構成され、前記係合窓は、前記係合突起よりも周方向に長く設けられるとともに、前記係合窓の周方向の少なくとも一端は、前記カバーを前記流路を中心として回転させた際に、前記係合突起の描く円よりも外方に達していることにより、前記課題を解決するものである。
【発明の効果】
【０００７】
請求項１に係る発明の折り取りスパウトによれば、カバーがスパウト本体の先端側から被せられて折取部を含んで覆うように形成されているため、搬送時や保管時にも、折取部や弱化部に外部から直接力が加わることがなく、意図しない外力により弱化部が損傷することを防止できる。
また、長辺部側のスカート壁および筒部には、カバーと筒部とを抜け止め係合して、カバーを流路を中心として回転させた際に、カバーとスパウト本体との係合を解除可能に構成された抜け止め部を有しているため、使用前（回転前）は、カバーのスパウト本体からの離脱を防止でき、その一方で使用時は、カバーをスパウト本体と相対的に回転するだけで、カバーとスパウト本体との抜け止めを容易に解除できる。
また、抜け止め部は、長辺部側のスカート壁に設けられた係合窓と、筒部に設けられた係合突起とで構成され、係合窓は、係合突起よりも周方向に長く設けられるとともに、係合窓の周方向の少なくとも一端は、カバーを流路を中心として回転させた際に、係合突起の描く円よりも外方に達しているため、極めて単純な構造で、筒部とカバーとを相対的に回転させた際に、係合突起が係合窓の縁に引っかかることなく係合窓から離脱し、抜け止めを解除することができる。
【０００８】
請求項２に記載の構成によれば、スパウト本体の折取部が、流路に直交する方向に延びる一対の操作腕を有し、係合突起は、筒部の中心線を通り、操作腕と直交する方向に膨出形成されているため、折取部とカバーが接触しない位置で係合突起は係合窓と確実に係合でき、カバーとスパウト本体とを相対的に回転させて操作腕とカバーとを接触させ、折取部を開封するとともに、係合突起を係合窓から離脱でき、カバーとスパウト本体との係合を迅速に解除することが、カバーを捩じる一つの動作のみでできる。
【０００９】
請求項３に記載の構成によれば、筒部の外周面のうち、抜け止め部と周方向で異なる位置には半径方向外方に膨出形成された凸部が設けられ、凸部の上面は、周方向に傾斜した傾斜面を有しているため、使用時にカバーを捩って取り外す動作によって、長辺部側のスカート壁の下部が凸部に接触し、凸部の傾斜面に沿ってカバーが上昇する方向に力を受けることで、カバーがスパウト本体から容易に離脱できる。
請求項４に記載の構成によれば、長辺部側のスカート壁の下部には、凸部の傾斜面と当接可能に構成された切欠き部が設けられ、切欠き部は、下方に開放されており、使用時にカバーを捩って取り外す際、凸部が切欠き部に接触するため、切欠き部の形状を調整し、切欠き部と凸部の傾斜面との接触角度を調整することで、カバーの上昇量や、スパウト本体から離脱するタイミングを調整することができる。
【００１０】
請求項５に記載の構成によれば、スパウト本体の折取部が、流路に直交する方向に延びる一対の操作腕を有し、操作腕が、流路を中心とする円周方向に延びる係合孔を有し、カバーの内周部には、カバーを流路を中心として回転させた際に係合孔に挿入される挿入腕が設けられているため、使用時にカバーを捩って取り外す動作によって、折り取り部が弱化部で破断して切り離され、カバーと一体となってスパウト本体から取り外すことができ、利便性が向上する。
【図面の簡単な説明】
【００１１】
【図１】本発明の一実施形態に係る折り取りスパウト１００の斜視図。
【図２】本発明の一実施形態に係るスパウト本体１１０の斜視図。
【図３】本発明の一実施形態に係るスパウト本体１１０の上面図および正面図。
【図４】本発明の一実施形態に係るカバー１３０の斜視図。
【図５】本発明の一実施形態に係るカバー１３０の正面図および下面図。
【図６】本発明の一実施形態に係る折り取りスパウト１００の正面半断面図および側面断面図。
【図７】本発明の一実施形態に係る折り取りスパウト１００の、折取部１１７の離脱手順１を示す半断面図、Ａ−Ａ’断面図およびＢ−Ｂ’断面図。
【図８】本発明の一実施形態に係る折り取りスパウト１００の、折取部１１７の離脱手順２を示すＡ−Ａ’断面図およびＢ−Ｂ’断面図。
【図９】本発明の一実施形態に係る折り取りスパウト１００の、カバー１３０を９０°回転させた際の半断面図、Ａ−Ａ’断面図およびＢ−Ｂ’断面図。
【図１０】本発明の一実施形態に係る折り取りスパウト１００の、折取部１１７の離脱手順３を示すＡ−Ａ’断面図およびＢ−Ｂ’断面図。
【図１１】本発明の一実施形態に係る折り取りスパウト１００の、カバー１３０を２７０°回転させた際の半断面図、Ａ−Ａ’断面図およびＢ−Ｂ’断面図。
【発明を実施するための形態】
【００１２】
以下に、本発明の一実施形態に係る折り取りスパウト１００について、図面に基づいて説明する。
折り取りスパウト１００は、流路１１６の先端が一体形成された折取部１１７により閉じられたものであり、図１および図７に示すように、中心を貫通する流路１１６を有する筒部１１１と筒部１１１の先端から弱化部１２２を介して一体形成された折取部１１７とを備え、折取部１１７により流路１１６の先端を閉塞可能なスパウト本体１１０と、スパウト本体１１０の筒部１１１の先端側の外周を覆うカバー１３０とを備えている。
【００１３】
筒部１１１の下部には、図２および図３に示すように、フランジ部１１４が設けられ、フランジ部１１４の上面且つ筒部１１１の外周面には、上に凸の山型の斜面を有する凸部１１５が２つ、筒部１１１を挟み込むように対向配置されている。
また、凸部１１５より上方の筒部１１１の下部外周面には、筒部１１１の半径方向外方に突出形成された係合突起１２５が２つ、２つの凸部１１５を結んだ線と直交する方向から、筒部１１１を挟み込むように対向配置されている。
係合突起１２５の上面は、半径方向外方へ向かうに従って下方に傾斜している。
【００１４】
さらに、スパウト本体１１０の弱化部１２２より下方の筒部１１１の外周面には、拡径部１１２と、使用時にチューブ等の取付部材等と連結するためのネジ部１２３が設けられており、ネジ部１２３の凸部１１５上方に位置する部分は、筒部１１１を挟み込むように対向配置された面取り部１２４によって上下方向に面取りされている。
フランジ部１１４の下方には、パウチ等の容器に取り付け溶着可能な取付部１１３が接続されている。
【００１５】
折取部１１７には、流路１１６に直交する方向に延びる一対の操作腕１１８が設けられ、操作腕１１８は、流路１１６を中心とする円周方向に延びる係合孔１１９を有している。
また、係合孔１１９の内面には、係合孔１１９の半径方向外方側の内側面から半径方向内方に突出形成されたロック用突起１２０が軸方向上下に亘って設けられている。
さらに、折取部１１７の、係合孔１１９よりも上方の外周面には、一対の操作腕１１８を結んだ線と直交する方向において、半径方向外方に突出形成された２つの膨出部１２１が対向配置されている。
【００１６】
カバー１３０には、図４および図５に示すように、一対の向かい合う長辺部および一対の向かい合う短辺部で周縁を形成したカバー天面１３１と、カバー天面１３１の周縁部から垂下するスカート壁１３２とが設けられ、カバー１３０にはさらに、カバー係合部１３３と、挿入腕１３４と、係合窓１３６と、切欠き部１３７とが設けられている。
カバー係合部１３３は、長辺部側のスカート壁１３２の内周面に設けられており、スパウト本体１１０の拡径部１１２の外周面と係合可能に構成されている。
【００１７】
挿入腕１３４は、長辺部側のスカート壁１３２の内周面上部に４つ周状に均等配置されており、それぞれの挿入腕１３４は、隣り合う挿入腕１３４と対向する円周方向に延びるように配置されているとともに、後述する、カバー１３０が、スパウト本体１１０の先端側を覆って固定された状態において、操作腕１１８の係合孔１１９の両側にそれぞれ対向するように配置されている。
よって、挿入腕１３４は、カバー１３０を一方に回す際に、操作腕１１８の係合孔１１９に挿入可能に構成され、挿入腕１３４の先端側には、係合孔１１９に挿入腕１３４を挿入した際に、ロック用突起１２０を乗り越えて係合可能な半径方向外方側に突出形成された乗越部１３５が設けられている。
【００１８】
係合窓１３６は、長辺部側のスカート壁１３２の側面を貫通した横長の孔状に形成され、係合突起１２５よりも周方向に長く設けられている。
切欠き部１３７は、長辺部側のスカート壁１３２の下部に設けられ、下方が開放されている。
また、切欠き部１３７は、長辺部側のスカート壁１３２の中心側から短辺部側のスカート壁１３２へ向かって徐々に上昇する斜面を形成している。
【００１９】
次に、折り取りスパウト１００の組み立てについて、図６に基づいて説明する。
折り取りスパウト１００は、スパウト本体１１０とカバー１３０がそれぞれ別個に射出成形等により製造され、スパウト本体１１０の先端側からカバー１３０を被せ、カバー１３０の内周面に形成されたカバー係合部１３３が筒部１１１の拡径部１１２と係合することで、カバー１３０がスパウト本体１１０の先端側を覆って固定し、折り取りスパウト１００として組立てられる。
【００２０】
カバー１３０は、スパウト本体１１０の先端側を覆って固定された状態で折取部１１７と接触しない形状に形成されており、この組立動作中に、カバー１３０の内周面は折取部１１７と一切接触することはないため、折取部１１７や弱化部１２２に一切力が加わらず、弱化部１２２が損傷することが防止され、密封性が損なわれることはない。
また、カバー１３０に外力が加わってもカバー係合部１３３を介して筒部１１１に直接力が加わるのみで折取部１１７や弱化部１２２に力が伝わることはなく、意図しない外力により弱化部１２２が損傷することを確実に防止できる。
【００２１】
さらに、カバー係合部１３３で拡径部１１２を締め付けるように係合しているため、カバー１３０の回転方向への不意な移動を抑制することができる。
このとき、係合窓１３６と係合突起１２５は、互いに係合することで、カバー１３０のスパウト本体１１０からの抜け止め部Ｓとして機能する。
【００２２】
次に、折り取りスパウト１００の、折取部１１７の離脱手順について、図７乃至図１１を用いて説明する。
なお、説明のため、Ｂ−Ｂ’断面図は、カバー１３０の係合窓１３６や切欠き部１３７を無視したカバー１３０の輪郭線を用いる。
【００２３】
まず、図７に示すように、カバー１３０は折取部１１７に干渉しないようにスパウト本体１１０に被せられている。
この状態から、カバー１３０を、スパウト本体１１０に対して時計回りに回し始める。
図８に示すように、徐々にカバー１３０を回していくと、時計回り円周方向に延在する一方の挿入腕１３４が一対の操作腕１１８の係合孔１１９にそれぞれ挿入され始め、３０°回転させて乗越部１３５がロック用突起１２０を乗り越えるまで挿入腕１３４を係合孔１１９に挿入すると、カバー１３０を逆回転させても乗越部１３５がロック用突起１２０に係合しているため、挿入腕１３４が係合孔１１９から抜けることはない。
【００２４】
さらに、挿入腕１３４は、反時計回り円周方向に延在する他方の挿入腕１３４も配置されており、他方の挿入腕１３４は膨出部１２１の下方に移動するため、折取部１１７が上方に移動することを規制することになる。
結果、一方の挿入腕１３４と他方の挿入腕１３４とが、隣り合う挿入腕１３４と対向する円周方向に延在して互いに配置されていること、ロック用突起１２０と乗越部１３５が係合していること、膨出部１２１が上方移動を規制していること、の構成により、カバー１３０の回転時に発生する周方向のぐらつきを抑え、ロック用突起１２０と乗越部１３５の係合が解除されることがなく、そして、挿入腕１３４を挟持することで、ガタツキを防ぎ、折取部１１７の意図しない脱落を抑制することができる。
【００２５】
挿入腕１３４を係合孔１１９に挿入した後、さらにカバー１３０を回すと、操作腕１１８がカバー１３０とともに回転し、徐々に弱化部１２２が捩じられていく。
カバー１３０を３５°回転させると、係合窓１３６は係合突起１２５よりも周方向に長い孔状に設けられ、係合窓１３６の周方向の少なくとも一端は、スパウト本体１１０を流路１１６を中心として回転させた際の係合突起１２５の描く円よりも外方に達しているため、カバー１３０の回転に伴って係合窓１３６から係合突起１２５が抜けることで、抜け止め部Ｓによるカバー１３０のスパウト本体からの抜け止めが解除される。
【００２６】
このとき、切欠き部１３７は、カバー１３０の回転に従って凸部１１５と接触し始め、カバー１３０をスパウト本体１１０から離脱させる方向へ力を受けるが、弱化部１２２が完全に捩じ切られておらず、折取部１１７と係合したカバー１３０はスパウト本体１１０から離脱できないため、係合窓１３６の下方に位置する長辺部側のスカート壁１３２の下部は、カバー１３０が９０°回転するまで、図９に示すように、切欠き部１３７から離脱した凸部１１５に接触し、内側面から拡径されるように徐々に変形する。
なお、カバー１３０の形状は、長辺部側のスカート壁１３２として機能する部分があればどのような形状でもよく、例えば、カバー天面１３１の周縁部がトラック形状でもよく、長方形でもよく、明確な長辺短辺の切れ目がないような完全楕円形状でもよい。
【００２７】
図１０に示すように、引き続きカバー１３０を回すと、弱化部１２２がさらに捩じられ、やがて、図１１に示すように、弱化部１２２が完全に捩じ切られて筒部１１１から折取部１１７が離脱し、流路１１６が開封される。
このとき、弱化部１２２は既に捩じ切られているため、切欠き部１３７の斜面は、カバー１３０の回転に従って凸部１１５の斜面と再び接触した際にカムとして機能し、抜け止め部Ｓによるカバー１３０のスパウト本体１１０からの抜け止めも再度解除された状態で、凸部１１５の斜面に沿ってカバー１３０を上昇させるとともに、拡径部１１２とカバー係合部１３３との係合を解除させることで、スパウト本体１１０からカバー１３０を離脱する補助として作用することになる。
【００２８】
また、一方および他方の挿入腕１３４は、操作腕１１８と膨出部１２１とによって挟持されているため、カバー１３０が離脱した後も、折取部１１７を落下させることなく確実にカバー１３０によって保持することができる。
また、ネジ部１２３の凸部１１５上方に位置する部分（短辺部側のスカート壁１３２に対応する部分）は、筒部１１１を挟み込むように対向配置された面取り部１２４によって上下方向に面取りされており、カバー１３０を２７０°回転させた位置でスパウト本体１１０から離脱させる際、面取り部１２４側にカバー１３０のスパウト本体１１０との最接近部が位置するため、カバー１３０がネジ部１２３に干渉することなくスパウト本体１１０から離脱することができる。
【００２９】
なお、挿入腕１３４は、長辺部側のスカート壁１３２の内周面上部に４つ周状に均等配置されており、それぞれの挿入腕１３４は、隣り合う挿入腕１３４と対向する円周方向に延びるように配置されているため、カバー１３０を反時計回りに回した場合でも、弱化部１２２を捩じ切り、折取部１１７ごとカバー１３０をスパウト本体１１０から離脱させることができる。
【００３０】
以上、本発明の実施形態を詳述したが、本発明は上記実施形態に限定されるものではなく、特許請求の範囲に記載された本発明を逸脱することなく種々の設計変更を行うことが可能である。
【００３１】
なお、上述した実施形態では、挿入腕は長辺部側のスカート壁の内周面上部に４つ周状に均等配置されており、それぞれの挿入腕は、隣り合う挿入腕と対向する円周方向に延びるように配置されているものとして説明したが、挿入腕の数はこれに限定されず、例えば、挿入腕が１つのみ設けられていてもよく、２つの挿入腕が左右対称に１つずつ設けられていてもよい。
また、上述した実施形態では、係合孔の内面には、係合孔の半径方向外方側の内側面から筒部の半径方向内方に突出形成されたロック用突起が軸方向上下に亘って設けられているものとして説明したが、ロック用突起の形成箇所はこれに限定されず、例えば、係合孔の半径方向内方側の内側面から筒部の半径方向外方にロック用突起が設けられていてもよく、ロック用突起がなくてもよい。
【００３２】
また、上述した実施形態では、膨出部は、操作腕の係合孔よりも上方の外周面から半径方向外方に突出形成されているものとして説明したが、膨出部の配置はこれに限定されず、例えば、折取部の係合孔よりも下方の外周面から半径方向外方に突出形成されていてもよく、膨出部がなくてもよい。
また、上述した実施形態では、挿入腕は長辺部側のスカート壁の内周面上部に４つ周状に均等配置され、それぞれの挿入腕は、隣り合う挿入腕と対向する円周方向に延びるように配置され、係合孔へ挿入腕を挿入した際に、係合孔に挿入されない挿入腕が膨出部の下方に移動することで折取部が上方に移動することを規制するものとして説明したが、折取部の上方への移動の規制方法はこれに限定されず、例えば、カバーの内周面から内方に突出形成した突出部を挿入腕とは別に設け、その突出部が膨出部の下方に移動することで、突出部を膨出部に接触させ折取部が上方に移動することを規制してもよい。
また、上述した実施形態では、カムとして機能する凸部および切欠き部が設けられているものとして説明したが、カムの構成はこれに限定されず、例えば、切欠き部を設けずに凸部とスカート壁の下端とによってカムとして機能させてもよく、筒部の外周面に斜め上方に向かう凹部を設け、スカート壁の内周面から膨出形成した凸部と係合させることでカムとして機能させてもよく、カムとして機能する凸部や切欠き部がなくてもよい。
【００３３】
また、上述した実施形態では、ネジ部の凸部上方に位置する部分は、筒部を挟み込むように対向配置された面取り部によって上下方向に面取りされているものとして説明したが、ネジ部の構成はこれに限定されず、例えば、面取り部がなくてもよい。
【００３４】
また、上述した実施形態では、カバー係合部が筒部の拡径部と係合することで、カバーがスパウト本体の先端側を覆って固定されるものとして説明したが、カバーの固定方法はこれに限定されず、例えば、拡径部の代わりにネジ部と係合するカバー係合部を設けてもよく、ネジ部および拡径部を含む筒部の外周面と係合する、上下方向に長いリブ状に形成されたカバー係合部を設けてもよい。
【符号の説明】
【００３５】
１００  ・・・  折り取りスパウト
１１０  ・・・  スパウト本体
１１１  ・・・  筒部
１１２  ・・・  拡径部
１１３  ・・・  取付部
１１４  ・・・  フランジ部
１１５  ・・・  凸部
１１６  ・・・  流路
１１７  ・・・  折取部
１１８  ・・・  操作腕
１１９  ・・・  係合孔
１２０  ・・・  ロック用突起
１２１  ・・・  膨出部
１２２  ・・・  弱化部
１２３  ・・・  ネジ部
１２４  ・・・  面取り部
１２５  ・・・  係合突起
１３０  ・・・  カバー
１３１  ・・・  カバー天面
１３２  ・・・  スカート壁
１３３  ・・・  カバー係合部
１３４  ・・・  挿入腕
１３５  ・・・  乗越部
１３６  ・・・  係合窓
１３７  ・・・  切欠き部
Ｓ  ・・・  抜け止め部
【図１】
0006989331.tif 000002
【図２】
0006989331.tif 000003
【図３】
0006989331.tif 000004
【図４】
0006989331.tif 000005
【図５】
0006989331.tif 000006
【図６】
0006989331.tif 000007
【図７】
0006989331.tif 000008
【図８】
0006989331.tif 000009
【図９】
0006989331.tif 000010
【図１０】
0006989331.tif 000011
【図１１】
0006989331.tif 000012